(57)【要約】【課題】個人情報が第三者に容易に知られることを抑制でき、かつ、必要なときに直ぐに個人情報を認識できるラベルを印刷可能なプリントシステムおよびプリンタを提供することを目的とする。【解決手段】プリントシステム１は、使用者の個人情報を入力する入力操作を受け付ける操作部３と、個人情報と、個人情報を特定するための識別情報とを記憶する記憶部５と、識別情報を有し個人情報を有さない第１のラベル１０のデータを作成するラベル作成部である制御部６と、第１のラベル１０のデータに基づいて第１のラベル１０を印刷可能なプリンタ７とを備えた。【選択図】図１
2019025665.tif 000002
【特許請求の範囲】
【請求項１】
使用者の個人情報を入力する入力操作を受け付ける操作部と、
前記個人情報と、前記個人情報を特定するための識別情報とを記憶する記憶部と、
前記識別情報を有し前記個人情報を有さない第１のラベルのデータを作成するラベル作成部と、
前記第１のラベルのデータに基づいて前記第１のラベルを印刷可能なプリンタと、
を備えた、プリントシステム。
【請求項２】
前記ラベル作成部は、前記識別情報および前記個人情報を有する第２のラベルのデータをさらに作成し、
前記プリンタは、前記第２のラベルのデータに基づいて前記第２のラベルを印刷可能である、請求項１記載のプリントシステム。
【請求項３】
前記プリンタは、前記第１のラベルおよび前記第２のラベルを一括して印刷する、請求項２記載のプリントシステム。
【請求項４】
記録媒体に記録された第１のラベルのデータおよび第２のラベルのデータを読み込み可能、かつ、前記ラベル作成部で作成された前記第１のラベルのデータおよび前記第２のラベルのデータを前記記録媒体に記録可能な入出力部をさらに備えた、請求項２または請求項３記載のプリントシステム。
【請求項５】
前記操作部は、前記第１のラベルのデータおよび前記第２のラベルのデータの一方を選択する選択操作をさらに受け付け、
前記プリンタは、前記選択操作に従って、前記第１のラベルおよび前記第２のラベルの一方を印刷する、請求項２記載のプリントシステム。
【請求項６】
前記識別情報は、キャラクター図柄、記号、および形状パターンを含み、
前記個人情報は年齢を含み、
前記ラベル作成部は、前記使用者の前記年齢に応じて前記キャラクター図柄、前記記号、および前記形状パターンのいずれか１つを前記識別情報として選択する、請求項１から請求項５のいずれか１項に記載のプリントシステム。
【請求項７】
請求項１から請求項６のいずれか１項に記載のプリントシステムが備えるプリンタであって、
前記ラベル作成部で作成された、使用者の個人情報を特定するための識別情報を有し前記個人情報を有さない前記第１のラベルのデータに基づいて前記第１のラベルを印刷可能な、プリンタ。
【発明の詳細な説明】
【技術分野】
【０００１】
本発明は、ラベルを印刷可能なプリントシステムおよびプリンタに関するものである。
【背景技術】
【０００２】
保育園または幼稚園などに通う幼い子供の傘および文房具などの持ち物には名前を記載し、他の子供の持ち物と間違えないようにしている。このような持ち物に名前を記載する方法として、文房具などに名前を直接ペンで書く以外にも、ハンカチ、ナイロンバック、および衣類へ刺繍で名前を入れる、または、名前を記載した熱溶融性の粘着剤を備えたラベルをアイロンで加熱して貼り付けるなどが行われている。
【０００３】
幼稚園などによっては、持ち物全部に名前を記載するよう指示される場合がある。例えば色鉛筆等の１本１本に名前を記載しなければならず、持ち物全部に名前を記載するために手間と時間がかかった。このような手間と時間を軽減するために名前が記載されたラベルシールを大量に印刷できるプリントシステムが提供され、子供だけでなく大人も利用している。
【０００４】
しかし、近年では持ち物に名前を記載することにより、第三者に容易に名前が知られることで、思わぬトラブルに巻き込まれる場合がある。特に幼い子供に対してはこのようなトラブルを未然に防ぐ方法が求められている。
【０００５】
このような要望に対応するため、名前等の個人情報が容易にわからないよう個人情報を得ることのできるバーコードとイラストが印刷されたシールが提案され、防犯性と安全性を高める一助としている（例えば、特許文献１参照）。
【０００６】
また、個人情報を収録した印刷コードが印刷されたラベルを衣類などに取り付け、情報処理装置を用いてラベルの印刷コードを読み取ることで個人情報を特定できる方法が提案されている（例えば、特許文献２参照）。
【先行技術文献】
【特許文献】
【０００７】
【特許文献１】登録実用新案第３１３４６０６号公報
【特許文献２】特開２００３−３０５７８号公報
【発明の概要】
【発明が解決しようとする課題】
【０００８】
特許文献１，２に記載の方法では、個人情報が第三者に容易に知られることは防げるが、印刷されたコードを読み取るための読み取り装置または携帯型の情報端末装置が必要となるため、これらの装置がなければ個人情報を知ることができない。そのため、必要なときに直ぐに個人情報を認識できないという問題があった。
【０００９】
そこで、本発明は、個人情報が第三者に容易に知られることを抑制でき、かつ、必要なときに直ぐに個人情報を認識できるラベルを印刷可能なプリントシステムおよびプリンタを提供することを目的とする。
【課題を解決するための手段】
【００１０】
本発明に係るプリントシステムは、使用者の個人情報を入力する入力操作を受け付ける操作部と、前記個人情報と、前記個人情報を特定するための識別情報とを記憶する記憶部と、前記識別情報を有し前記個人情報を有さない第１のラベルのデータを作成するラベル作成部と、前記第１のラベルのデータに基づいて前記第１のラベルを印刷可能なプリンタとを備えたものである。
【発明の効果】
【００１１】
本発明によれば、使用者の個人情報を入力する入力操作を受け付ける操作部と、個人情報と、個人情報を特定するための識別情報とを記憶する記憶部と、識別情報を有し個人情報を有さない第１のラベルのデータを作成するラベル作成部と、第１のラベルのデータに基づいて第１のラベルを印刷可能なプリンタとを備えた。
【００１２】
したがって、使用者は第１のラベルを印刷し使用することで、例えばコミュニティ内で使用される個人情報が第三者に容易に知られることを抑制できる。また、例えば個人情報の管理者が識別情報および個人情報を管理することで、使用者が使用している第１のラベルの識別情報と、管理者が管理している識別情報とを見比べるだけで、読み取り装置がなくても必要なときに直ぐに個人情報を認識できる。
【図面の簡単な説明】
【００１３】
【図１】実施の形態１に係るプリントシステムのブロック図である。
【図２】実施の形態１に係るプリントシステムの動作を説明するためのフローチャートである。
【図３】実施の形態１に係るプリントシステムの記憶部に記憶されたラベル図柄と個人情報の一例を示す図である。
【図４】印刷されたラベルの一例を示す図である。
【図５】実施に形態２に係るプリントシステムの動作の一部であるステップＳ３の動作を説明するためのフローチャートである。
【図６】使用する年代に応じた認識性の高いラベル図柄から認識性の低いラベル図柄の一例を示す図である。
【図７】ラベル図柄選択画面の一例を示す図である。
【図８】印刷されたラベルの一例を示す図である。
【図９】印刷されたラベルの他の例を示す図である。
【図１０】印刷されたラベルの他の例を示す図である。
【発明を実施するための形態】
【００１４】
＜実施の形態１＞
本発明の実施の形態１について、図面を用いて以下に説明する。図１は、実施の形態１に係るプリントシステム１のブロック図である。
【００１５】
図１に示すように、プリントシステム１は、表示部２、操作部３、入出力部４、記憶部５、制御部６、プリンタ７、およびデータバス８を備えている。
【００１６】
表示部２は、例えば液晶ディスプレイなどである。操作部３は、例えばタッチパネル、キーボードまたはマウスなどであり、使用者の個人情報を入力する入力操作を受け付ける。また、操作部３は、個人情報の入力操作以外に、第１のラベル１０（図４参照）のデータおよび第２のラベル１１（図４参照）のデータの一方を選択する選択操作などをさらに受け付ける。なお、第１のラベル１０（図４参照）および第２のラベル１１（図４参照）の詳細については後述する。
【００１７】
以下、第１のラベル１０のデータを第１のラベルデータ、第２のラベル１１のデータを第２のラベルデータという。また、第１のラベル１０および第２のラベル１１を区別しない場合は単にラベルといい、第１のラベルデータおよび第２のラベルデータを区別しない場合は単にラベルデータという。
【００１８】
入出力部４は、例えばカードリーダーである。入出力部４は、メモリーカードなどの記録媒体に記録された第１のラベルデータおよび第２のラベルデータを読み込み可能、かつ、プリントシステム１で作成された第１のラベルデータおよび第２のラベルデータを記録媒体に記録可能である。
【００１９】
記憶部５は、ＲＡＭなどの一時記憶メモリとハードディスクなどの不揮発性メモリとからなり、プリントシステム１を制御するプログラム、プリントシステム１で作成された第１のラベルデータ、および第２のラベルデータなどを記憶する。
【００２０】
制御部６は、記憶部５に記憶されたプログラムに従ってプリントシステム１の制御およびデータ処理を行う。制御部６は、例えば専用のハードウェアであっても、ＣＰＵ（Central Processing Unit、中央処理装置、処理装置、演算装置、マイクロプロセッサ、マイクロコンピュータ、プロセッサ、ＤＳＰともいう）であってもよい。
【００２１】
プリンタ７は、第１のラベルデータおよび第２のラベルデータに基づいて、第１のラベル１０および第２のラベル１１をそれぞれ印刷可能なインクジェットプリンタまたはサーマルプリンタである。データバス８は、プリントシステム１の各ブロックにおいて相互にデータの送受信を行うための信号線である。
【００２２】
次に、プリントシステム１の動作について説明する。図２は、プリントシステム１の動作を説明するためのフローチャートである。図３は、プリントシステム１の記憶部５に記憶されたラベル図柄と個人情報の一例を示す図である。図４は、印刷されたラベルの一例を示す図である。
【００２３】
プリントシステム１の利用が開始されると、新規ラベル作成用のボタンと登録済みのラベルデータの読み込み用のボタンが表示部２に表示される。図２に示すように、新規ラベル作成用のボタンが押されると（ステップＳ１においてＹｅｓ）、制御部６は、表示部２に個人情報の入力画面を表示させる。この画面で入力される個人情報とは、ラベルを使用する使用者の例えば氏名、年代、学年、および組などであり、表示部２の画面表示に従ってこれらの情報が入力される。なお、学年の代わりに年齢が入力されてもよい。
【００２４】
個人情報が入力されると（ステップＳ２においてＹｅｓ）、表示部２にラベル図柄の選択画面が表示される。ラベル図柄が選択されると（ステップＳ３においてＹｅｓ）、処理をステップＳ４へ移行する。なお、ラベル図柄は、キャラクター図柄、記号、および形状パターンを含む識別情報であり、記憶部５に記憶されている。
【００２５】
他方、ステップＳ１において登録済みのラベルデータの読み込み用のボタンが押された場合（ステップＳ１においてＮｏ）、制御部６は、表示部２に登録済みの個人情報の入力画面を表示させる。登録済みの個人情報が入力されると（ステップＳ９においてＹｅｓ）、制御部６は、入力された個人情報に関連付けられた登録済みのラベルデータを表示部２に表示させ（ステップＳ１０）、処理をステップＳ４へ移行する。なお、登録済みのラベルデータとは、記憶部５に記憶されているラベルデータ、または記録媒体に記録されているラベルデータをいう。
【００２６】
ステップＳ１において新規ラベル作成用のボタンが押された場合、ステップＳ４では、識別コードとラベルデータが作成される。他方、ステップＳ１において登録済みのラベルデータの読み込み用のボタンが押された場合、ステップＳ４では、ラベルの使用者またはラベルの管理者が操作部３を介して識別コードとラベルデータを編集することで、識別コードとラベルデータが更新される。なお、制御部６が、識別情報を有し個人情報を有さない第１のラベルデータと、識別情報および個人情報を有する第２のラベルデータとを作成するラベル作成部に相当する。
【００２７】
識別コードとラベルデータが作成または更新されると、識別コードとラベルデータが記憶部５に記憶される（ステップＳ５）。具体的には、図３に示すように、記憶部５には、ラベルデータを構成するラベル図柄、背景色、氏名、および識別コードと、氏名のよみ、年代、学年、および組などが記憶される。なお、識別コードとラベルデータは記憶部５ではなく、記録媒体に記録されてもよい。
【００２８】
次に、制御部６は、個人情報も印刷するかどうかを選択する選択画面を表示部２に表示させる。個人情報も印刷する旨が選択された場合（ステップＳ６においてＹｅｓ）、図４に示すように、制御部６は、プリンタ７に第２のラベル１１を印刷させて（ステップＳ７）、処理を終了する。他方、個人情報を印刷しない旨が選択された場合（ステップＳ６においてＮｏ）、制御部６は、プリンタ７に第１のラベル１０だけを印刷させて（ステップＳ８）、処理を終了する。
【００２９】
なお、個人情報も印刷する旨が選択された場合（ステップＳ６においてＹｅｓ）、図４に示すように、プリンタ７は、第２のラベル１１だけを印刷するのではなく、第１のラベル１０および第２のラベル１１を一括して印刷してもよい。この場合、例えば管理者は、第１のラベル１０および第２のラベル１１を切り離してそれぞれ使用することができる。図４の下側には、それぞれ切り離された状態の第１のラベル１０および第２のラベル１１が示されている。
【００３０】
ここで、図４に示すように、第１のラベル１０は、識別情報だけを有し個人情報を有さないラベルであり、すなわち、識別情報だけが印刷されたラベルである。第２のラベル１１は、識別情報および個人情報を有するラベルであり、すなわち、識別情報および個人情報が印刷されたラベルである。また、第２のラベル１１には、個人情報として氏名が印刷されているが、氏名だけでなく年代、学年、および組のいずれか、またはこれら全てが印刷されてもいてもよい。
【００３１】
以上のように、実施の形態１に係るプリントシステム１は、使用者の個人情報を入力する入力操作を受け付ける操作部３と、個人情報と、個人情報を特定するための識別情報とを記憶する記憶部５と、識別情報を有し個人情報を有さない第１のラベルデータを作成するラベル作成部である制御部６と、第１のラベルのデータに基づいて第１のラベル１０を印刷可能なプリンタ７とを備えた。
【００３２】
したがって、使用者は第１のラベル１０を印刷し使用することで、例えばコミュニティ内で使用される個人情報が第三者に容易に知られることを抑制できる。また、例えば個人情報の管理者が識別情報および個人情報を管理することで、使用者が使用している第１のラベル１０の識別情報と、管理者が管理している識別情報とを見比べるだけで、読み取り装置がなくても必要なときに直ぐに個人情報を認識できる。
【００３３】
また、プリンタ７は、制御部６で作成された、使用者の個人情報を特定するための識別情報を有し個人情報を有さない第１のラベルデータに基づいて第１のラベル１０を印刷可能であり、プリンタ７で印刷することで、所望の枚数の第１のラベル１０を印刷することができる。そのため、コミュニティ内に限定して識別情報および個人情報を管理することで、第三者に容易に知られることを抑制できる。
【００３４】
制御部６は、識別情報および個人情報を有する第２のラベルデータをさらに作成し、プリンタ７は、第２のラベルデータに基づいて第２のラベル１１を印刷可能である。
【００３５】
したがって、管理者は第２のラベル１１を印刷し、使用者が使用している第１のラベル１０の識別情報と、管理者が印刷した第２のラベル１１の識別情報とを見比べるだけで、読み取り装置がなくても必要なときに直ぐに個人情報を認識できる。
【００３６】
すなわち、使用者は個人情報を有しない第１のラベル１０だけを印刷して使用する。管理者は識別情報および個人情報を有する第２のラベルを印刷し第２のラベルを管理することで、個人情報が第三者に容易に知られることなく、管理者が簡単に使用者の識別を行うことができる。
【００３７】
図４に示すように、プリンタ７は、第１のラベル１０および第２のラベル１１を一括して印刷するため、例えば管理者は、第１のラベル１０および第２のラベル１１を切り離してそれぞれ使用することができる。
【００３８】
プリントシステム１は、記録媒体に記録された第１のラベルデータおよび第２のラベルデータを読み込み可能、かつ、制御部６で作成された第１のラベルデータおよび第２のラベルデータを記録媒体に記録可能な入出力部４をさらに備えた。
【００３９】
したがって、登録済みの第１のラベルデータおよび第２のラベルデータを利用することで全てのラベルデータを一から作成する必要がない。
【００４０】
操作部３は、第１のラベルデータおよび第２のラベルデータの一方を選択する選択操作をさらに受け付け、プリンタ７は、選択操作に従って、第１のラベル１０および第２のラベル１１の一方を印刷する。したがって、使用者は、個人情報を有しない第１のラベル１０だけを印刷することができる。また、管理者は、識別情報および個人情報を有する第２のラベルを印刷することができる。
【００４１】
＜実施の形態２＞
次に、実施の形態２に係るプリントシステム１について説明する。図５は、実施に形態２に係るプリントシステム１の動作の一部であるステップＳ３の動作を説明するためのフローチャートである。図６は、使用する年代に応じた認識性の高いラベル図柄から認識性の低いラベル図柄の一例を示す図である。図７は、ラベル図柄選択画面の一例を示す図である。図８は、印刷されたラベルの一例を示す図である。図９は、印刷されたラベルの他の例を示す図である。図１０は、印刷されたラベルの他の例を示す図である。なお、実施の形態２において、実施の形態１で説明したものと同一の構成要素については同一符号を付して説明は省略する。
【００４２】
実施の形態２では、識別情報は、キャラクター図柄、記号、および形状パターンを含み、個人情報は年齢を含み、ラベル作成部である制御部６は、使用者の年齢に応じてキャラクター図柄、記号、および形状パターンのいずれか１つを識別情報として選択する。
【００４３】
実施の形態１では、図２のステップＳ３において使用者によりラベル図柄が選択されたが、実施の形態２では、制御部６によりラベル図柄が年齢に応じて選択される。実施の形態１と実施の形態２の動作の違いについて、図５を用いて説明する。
【００４４】
図２のステップＳ２において個人情報が入力されると、図５に示すように、制御部６は、既存のラベル図柄を使用するかどうかを選択する画面を表示部２に表示させる。ここで、既存のラベル図柄とは記憶部５に記憶されているラベル図柄である。既存のラベル図柄が使用される場合（ステップＳ３０１においてＹｅｓ）、制御部６は、ステップＳ２で入力された年齢を参照し年齢が５歳未満である場合（ステップＳ３０２においてＹｅｓ）、対象年代が幼児であるため認識性の高いラベル図柄を選択し表示部２に表示させる（ステップＳ３０７）。例えば、図６に示すような対象年代とラベル図柄が関連付けられたテーブルが記憶部５に記憶されており、制御部６はテーブルを参照してラベル図柄を選択する。例えば５歳未満の子供には、図４と図６に示すように、キャラクター図柄がラベル図柄として選択される。
【００４５】
例えばキャラクター図柄がラベル図柄として選択されると、管理者はどの子供がどのキャラクター図柄を使用しているかを把握しておくだけで、ラベルに氏名などの個人情報が表示されていなくても、簡単に使用者を特定することができる。また、キャラクター図柄に個人情報を表示させた第２のラベル１１を管理者用として管理者が保管することで、使用者の識別に用いることもできる。また、トラブルに巻き込まれやすい幼児用として認識性の高いキャラクター図柄のみのラベル図柄が使用されることは、防犯の面からメリットがある。
【００４６】
なお、上記では制御部６は自動でラベル図柄を選択したが、これに代えて、図７に示すように、お勧めのラベル図柄を表示部２に表示させて使用者が選択してもよい。
【００４７】
次に、制御部６は、ラベルの背景色を選択し表示部２に表示させてから（ステップＳ３０６）、処理を図２のステップＳ４へ移行する。ここで、背景色は、性別が男性の場合には青〜緑系色が選択され、女性の場合には黄〜赤系色が選択される。このように、入力された性別データに基づいてラベルの背景色を選択できる。
【００４８】
年齢が６歳以上８歳以下の場合には（ステップＳ３０２においてＮｏ、ステップＳ３０３においてＹｅｓ）、制御部６は、対象年代が幼児〜小学生（低学年）であるため認識性の高〜中のラベルを選択し表示部２に表示させてから（ステップＳ３０８）、処理をステップＳ３０６へ移行する。例えば６歳以上８歳以下の子供には、図６と図８に示すように、消しゴムなどで消すことができる弱擦過性インクが使用された記号がラベル図柄として選択される。
【００４９】
例えば弱擦過性インクを使用した記号がラベル図柄として選択されると、ラベルの記号の部分を消しゴムで消すだけで氏名が現れるため、特殊な装置を使用しなくても簡単に使用者を特定することができる。また、弱擦過性インクが使用された記号は、消しゴムで消すというラベル図柄の仕組みを知らないと個人情報を特定できないため、防犯の面からメリットがある。また、消しゴムで消すと名前が現れるという面白みが加わるため、使用者の楽しみが増えるというメリットがある。なお、図８の右下に記載された第１のラベル１０は、消しゴムで消して名前が現れた状態を示している。
【００５０】
年齢が９歳以上１１歳以下の場合には（ステップＳ３０３においてＮｏ、ステップＳ３０４においてＹｅｓ）、制御部６は、対象年代が小学生（高学年）であるため認識性の高〜中のラベル図柄を選択し表示部２に表示させてから（ステップＳ３０９）、ステップＳ３０６へ移行する。例えば９歳以上１１歳以下の子供には、図６と図９に示すように、温度によって色が変化する温感変色性インクを使用した記号がラベル図柄として選択される。
【００５１】
例えば温感変色性インクを使用した記号がラベル図柄として選択されると、ラベル図柄をこすったり、指で触るだけで名前が現れるため、特殊な装置を使用しなくても簡単に使用者を特定することができる。また、温感変色性インクを使用したラベル図柄は、ラベル図柄をこすったり、指で触ると名前が現れるという仕組みを知らないと個人情報を特定できないため、防犯の面からメリットがある。また、ラベル図柄をこすったり、指で触るだけで名前が現れるという面白みが加わるため、使用者の楽しみが増えるというメリットがある。なお、図９の右下に記載された第１のラベル１０は、ラベル図柄をこすって名前が現れた状態を示している。
【００５２】
年齢が１２歳以上の場合には（ステップＳ３０４においてＮｏ）、制御部６は、対象年代が中学生以上であるため認識性の中のラベル図柄を選択し表示部２に表示させてから（ステップＳ３０９）、処理をステップＳ３０６へ移行する。例えば１２歳以上の人には、図６と図１０に示すように、形状パターンであるレンチキュラーパターンがラベル図柄として選択される。
【００５３】
例えばレンチキュラーパターンを使用したラベル図柄は、レンチキュラーレンズがなければ個人情報を特定できないため、防犯の面からメリットがある。また、ラベル図柄にレンチキュラーレンズを当てると名前が現れるという面白みが加わるため、使用者の楽しみが増えるというメリットもある。なお、図１０の右下に記載された第１のラベル１０は、レンチキュラーレンズを当てて名前が現れた状態を示している。
【００５４】
他方、既存のラベル図柄を使用しない場合は（ステップＳ３０１においてＮｏ）、制御部６は、記録媒体に記録された、使用者が持参したラベル図柄データを読み込み（ステップＳ３０５）、ステップＳ３０６へ移行する。このように、既存のラベル図柄に気に入ったラベル図柄がなくても、使用者が自分で持ってきたラベル図柄データを使用することができる。
【００５５】
以上のように、実施の形態２に係るプリントシステム１では、識別情報は、キャラクター図柄、記号、および形状パターンを含み、個人情報は年齢を含み、制御部６は、使用者の年齢に応じてキャラクター図柄、記号、および形状パターンのいずれか１つを識別情報として選択する。したがって、使用者の年代に適したラベルを提供することができるというメリットがある。
【００５６】
なお、本発明は、その発明の範囲内において、各実施の形態を自由に組み合わせたり、各実施の形態を適宜、変形、省略することが可能である。
【符号の説明】
【００５７】
１  プリントシステム、４  入出力部、５  記憶部、６  制御部、７  プリンタ、１０  第１のラベル、１１  第２のラベル。
【図１】
2019025665.tif 000003
【図２】
2019025665.tif 000004
【図３】
2019025665.tif 000005
【図４】
2019025665.tif 000006
【図５】
2019025665.tif 000007
【図６】
2019025665.tif 000008
【図７】
2019025665.tif 000009
【図８】
2019025665.tif 000010
【図９】
2019025665.tif 000011
【図１０】
2019025665.tif 000012